(57)【特許請求の範囲】
【請求項１】
容器本体とともに内容物を封入する密閉空間を形成し、前記密閉空間に開口部を形成するための分離部を有する中栓と、
前記分離部を前記中栓から分離して前記開口部を形成することを可能にするとともに前記分離部の分離に際して当該分離部を保持する保持手段を有する上蓋とを備えるキャップであって、
前記中栓は、前記分離部によって閉塞される上部開口を有し当該上部開口において前記分離部に連設されるとともに周縁において前記容器本体に係止される本体部を有し、
前記保持手段は、前記上蓋の上端壁下面から下方に延びるとともに前記分離部の上部に形成されたフランジに係合可能な環状の突出部を有し、
前記フランジは、当該フランジの周縁から延びる鍔状で薄肉の拡設部を有することを特徴とするキャップ。
【請求項２】
前記上蓋は、前記開口部の形成のための開封動作の際に、前記上蓋を締め込む方向に回すことによって前記突出部を前記分離部の前記フランジに係合させるとともに前記分離部を前記中栓から分離し、前記開口部の形成後の開閉動作の際に、前記突出部によって前記分離部を保持して前記分離部とともに移動することを特徴とする請求項１に記載のキャップ。
【請求項３】
前記本体部は、上部開口を画成する本体側筒状部を有し、
前記分離部は、前記本体側筒状部に対して内径側及び外径側のいずれか一方にオフセットさせた分離部側筒状部を有することを特徴とする請求項２に記載のキャップ。
【請求項４】
前記環状の突出部は、前記フランジの周縁に沿って当該フランジに略平行に延びることを特徴とする請求項１から３までのいずれか一項に記載のキャップ。
【請求項５】
前記薄肉の拡設部は、前記フランジの延びる面に垂直な方向に貫通する切欠きを有することを特徴とする請求項４に記載のキャップ。
【請求項６】
前記切欠きは、前記拡設部の全周に亘って複数箇所に略等間隔で形成されていることを特徴とする請求項５に記載のキャップ。
【請求項７】
前記上蓋の前記突出部は、内周面において、前記分離部の前記フランジを前記突出部内に収容した状態で、前記分離部の下面周縁下部に位置して、前記分離部を係止する環状の膨出部を有することを特徴とする請求項１から６までのいずれか一項に記載のキャップ。
【請求項８】
前記上蓋の前記突出部は、内周面において、前記分離部の前記フランジを前記突出部内に収容した状態で、前記フランジの前記薄肉の拡設部を収容する環状の保持溝を有することを特徴とする請求項１から７までのいずれか一項に記載のキャップ。
【請求項９】
前記上蓋の前記突出部は、内周面において、前記フランジの延びる面に垂直な方向に延びる通気溝を有することを特徴とする請求項１から８までのいずれか一項に記載のキャップ。
【請求項１０】
前記上蓋が螺合によって前記容器本体の開口部に結合されていることを特徴とする請求項１から９までのいずれか一項に記載のキャップ。
【請求項１１】
前記上蓋は、前記容器本体の開口部に装着される取付部と、ヒンジを介して前記取付部に連結され、下面に前記環状の突出部を備える開閉蓋とを備えていることを特徴とする請求項１から１０までのいずれか一項に記載のキャップ。
【請求項１２】
内容物たる液体を収納する容器本体と、前記容器本体の口部に設けられる請求項１から１１までのいずれか一項に記載のキャップとを備える蓋付容器。
【発明の詳細な説明】
【技術分野】
【０００１】
本発明は、ボトル状の容器の口部に設けられるキャップと、かかるキャップを備える蓋付容器とに関する。
【背景技術】
【０００２】
公知の蓋付容器には、キャップとして、中栓と上蓋とを備え、中栓として、ボトルの開口部に嵌着される本体側筒状部と、その先端にスコアを介して連設されている分離部とを設けたものが存在する（特許文献１の図１０参照）。
【０００３】
このキャップでは、上蓋をボトルの開口部へねじ込むことによって本体側筒状部から分離された分離部を、上蓋の上端内壁から下方に延びる環状の突出部によって保持させることとしている。
【０００４】
このキャップは、上蓋を容器口部にねじ込むだけで簡単に開栓を行なうことができ、開栓によって分離された分離部を上蓋の上端内壁に保持させて開封後のシールとして機能させることができるので、極めて操作性すなわち使い勝手がよい。
【０００５】
ところで、特許文献１に記載のキャップを備えた蓋付容器では、上蓋の上端内壁から下方に延びる環状の突出部で中栓の分離部を保持させることから、環状の突出部の内周面と分離部の外周面とを密接させなくてはならない。すると、環状の突出部に分離部が入り込む際に、突出部と分離部との間で圧縮された空気が一気に噴出され、それにより異音が発生する場合がある。
【先行技術文献】
【特許文献】
【０００６】
【特許文献１】国際公開第ＷＯ２００７／１２６０６２号のパンフレット
【発明の概要】
【発明が解決しようとする課題】
【０００７】
本発明は、開栓の際の異音の発生を防止したキャップ及びこれを備える蓋付容器を提供することを目的とする。
【課題を解決するための手段】
【０００８】
上記課題を解決するために、本発明に係るキャップは、（ａ）容器本体とともに内容物を封入する密閉空間を形成し、密閉空間に開口部を形成するための分離部を有する中栓と、（ｂ）分離部を中栓から分離して開口部を形成することを可能にするとともに分離部の分離に際して当該分離部を保持する保持手段を有する上蓋とを備えるキャップであって、（ｃ）中栓は、分離部によって閉塞される上部開口を有し当該上部開口において分離部に連設されるとともに周縁において容器本体に係止される本体部を有し、（ｄ）保持手段は、上蓋の上端壁下面から下方に延びるとともに分離部の上部に形成されたフランジに係合可能な環状の突出部を有し、（ｅ）フランジは、当該フランジの周縁から延びる鍔状で薄肉の拡設部を有する。
【０００９】
上記キャップでは、上蓋を容器本体の奥に向けて前進させる開封時（最初の開栓時）に、中栓のフランジが上蓋の突出部の内周面を摺動する際に、突出部とフランジとによって画成される空間内の空気が薄肉の拡設部を介して徐々に排出される。これにより、開封の動作が滑らかになり、フランジ周辺から異音が発生することを防止できる。なお、薄肉の拡設部を設けず突出部の内周面にフランジの全周面が密着した状態で、突出部とフランジとによって画成される空間内の空気が圧縮されると、フランジの移動の抵抗になるばかりでなく、圧縮された空気が突出部の内周面とフランジの周面との間から突然噴出することによる異音を発生する場合があるが、本発明のようにフランジの周縁から延びる薄肉の拡設部を設けることで、上記のような問題が防止される。
【００１０】
本発明の具体的な側面では、上蓋が、開口部の形成のための開封動作の際に、上蓋を締め込む方向に回すことによって突出部を分離部のフランジに係合させるとともに分離部を中栓から分離し、開口部の形成後の開閉動作の際に、突出部によって分離部を保持して分離部とともに移動する。この場合、開封後に突出部に分離部を保持させることができるので、分離部がゴミとなることを防止でき、分離部を例えば栓のように機能させることができる。
【００１１】
本発明の別の側面では、本体部が、上部開口を画成する本体側筒状部を有し、分離部が、本体側筒状部に対して内径側及び外径側のいずれか一方にオフセットさせた分離部側筒状部を有する。この場合、開封時に分離部を本体部から分離した後に、再度、上蓋を容器本体にねじ込み或いは押し込む際に、分離部側筒状部と本体側筒状部とが重なるように嵌合され、それによって開封後も分離部と本体部との液密が図れる。つまり、開封後に上蓋を閉止した際の液漏れを防止できる。
【００１２】
本発明のさらに別の側面では、環状の突出部が、フランジの周縁に沿って当該フランジに略平行に延びる。この場合、環状の突出部の幅、弾性等の調整によって、保持手段の突出部による分離部のフランジの保持力を適度に調整することができる。
【００１３】
本発明のさらに別の側面では、薄肉の拡設部が、フランジの延びる面に垂直な方向に貫通する切欠きを有する。この場合、上蓋の突出部と中栓の分離部のフランジとによって画成される空間内の空気が、薄肉の拡設部に設けた切欠きを介して確実に排出されるので、異音の発生をより確実に防止することができる。
【００１４】
本発明のさらに別の側面では、切欠きが拡設部の全周に亘って複数箇所に略等間隔で形成されている。この場合、上蓋の突出部と中栓の分離部のフランジとによって画成される空間内の空気が、フランジの全周から排出されるので、分離部が均一な抵抗によって突出部内に進入する。
【００１５】
本発明のさらに別の側面では、上蓋の突出部が、内周面において、分離部のフランジを突出部内に収容した状態で、分離部の下面周縁下部に位置して、分離部を係止する環状の膨出部を有する。この場合、分離部が膨出部によって上蓋の突出部内に確実に保持される。
【００１６】
本発明のさらに別の側面では、上蓋の突出部が、内周面において、分離部のフランジを突出部内に収容した状態で、フランジの薄肉の拡設部を収容する環状の保持溝を有する。この場合、分離部が保持溝によって上蓋の突出部内に確実に保持される。
【００１７】
本発明のさらに別の側面では、上蓋の突出部が、内周面において、フランジの延びる面に垂直な方向に延びる通気溝を有する。この場合、上蓋の突出部と中栓の分離部のフランジとによって画成される空間内の空気が、突出部の内周面に設けた通気溝を介して確実に排出される。
【００１８】
本発明のさらに別の側面では、上蓋を螺合によって容器本体の開口部に結合させてもよい。この場合、上蓋の回転動作に伴って分離部が中栓から分離されて、開口部が形成されるとともに、分離部を上蓋の保持手段に保持させることができるので、開口作業が容易になる。
【００１９】
本発明のさらに別の側面では、上蓋を、容器本体の開口部に装着される取付部と、ヒンジを介して取付部に連結され、下面に環状の突出部を備える開閉蓋とによって構成してもよい。この場合、中栓を開封した後は、開閉蓋によりワンタッチで簡単にキャップの開放や閉止といった開閉動作を行うことができる。
【００２０】
また、上記課題を解決するために、本発明に係る蓋付容器は、（ａ）容器本体を構成し、内容物たる液体を収納する容器本体と、（ｂ）容器本体の口部に設けられる上記いずれかのキャップとを備える。
【００２１】
上記蓋付容器では、上記いずれかのキャップを用いるため、上蓋の回転動作に伴って簡易かつ確実に開口動作即ち中栓の開封を行うことができ、また、小口径の中栓であってもデザインが制限されず、さらに、開封後に食卓等にごみを出さない。
【図面の簡単な説明】
【００２２】
【図１】本発明に係るキャップを説明するための断面図である。
【図２】本発明に係るキャップの分解斜視図である。
【図３】本発明に係るキャップの中栓の要部を拡大して示すもので、（ａ）は中栓の分離部の平面図、（ｂ）はその要部断面図である。
【図４】（ａ）〜（ｃ）は、図２におけるＡ，Ｂ，Ｃ部を拡大して示した断面図である。
【図５】（ａ）〜（ｄ）は、本発明に係るキャップの動作を示した断面図である。
【図６】（ａ）〜（ｃ）は、本発明に係るキャップの動作における上蓋の突出部と中栓のフランジとの接触状態を示した断面図である。
【図７】第２実施形態に係るキャップを説明するための断面図である。
【図８】図７に示したキャップの作動を説明するための断面図である。
【図９】（ａ）〜（ｄ）は、第３実施形態に係るキャップを説明するための断面図である。
【図１０】第４実施形態に係るキャップを説明するための断面図である。
【図１１】（ａ）及び（ｂ）は、図１０に示したキャップの作動を説明するための断面図である。
【図１２】本発明に係るキャップの変形例を説明する拡大断面図である。
【図１３】本発明に係るキャップの別の変形例を説明する平面図である。
【図１４】本発明に係るキャップのさらに別の変形例を説明する平面図である。
【図１５】本発明に係るキャップのさらに別の変形例を説明する側面図である。
【発明を実施するための形態】
【００２３】
〔第１実施形態〕
以下、図１乃至図６を参照して、本発明の第１実施形態に係るキャップ及び蓋付容器について説明する。
【００２４】
キャップ１は、図１に示すように、ボトルである容器本体５０の口部５０ａに装着されており、蓋本体である中栓２と、上蓋である上蓋３とを備える。キャップ１と容器本体５０とは、液体を収納して保存するための蓋付容器１００となっている。
【００２５】
中栓２は、樹脂製の一体成形品であり、図２にも示すように、分離部４と、嵌合部５と、本体側筒状部６とを備える。ここで、嵌合部５と本体側筒状部６とは、中栓２の本体部２０を構成する。
【００２６】
中栓２の分離部４は、本体側筒状部６に対して当該本体側筒状部６の肉厚だけ内径側にオフセットさせた分離部側筒状部４ｂを備えている。この分離部側筒状部４ｂには、その上部開口を閉塞する天井壁４ｃが張設されている。また、天井壁４ｃには、半径方向外方に延びるフランジ４ｄが形成されている。このフランジ４ｄの周面下部には、図３（ａ）及び３（ｂ）に示すように、全周に亘って薄肉、例えば、フランジ４ｄの厚み１．２ｍｍに対して０．２ｍｍ程度の厚さで、フランジ４ｄの直径２２ｍｍに対して０．３ｍｍ程度の幅の環状の鍔状で肉薄の拡設部４ｅが形成されている。そして、この肉薄の拡設部４ｅには、その周方向等間隔で複数箇所、例えば３箇所に幅１ｍｍ程度の切欠き４ｆが形成されている。そして、分離部側筒状部４ｂの下端は、図３（ｂ）に示すように、本体側筒状部６の上端と肉薄のスコア７によって連設されている。
【００２７】
図２に示すように、中栓２の嵌合部５は、容器本体５０の口部５０ａの外周壁に密着して固定される外筒部５ａと、口部５０ａの内周壁に密着して固定される内筒部５ｂと、口部５０ａに密着して外筒部５ａと内筒部５ｂとを連結する水平部５ｃとを有して構成される。そして、外筒部５ａには、図４（ｂ）に示すように、外周面全周に亘る環状凹部５ｄが形成され、内周面下部全周に亘る環状突起５ｅが形成されている。また、内筒部５ｂには、図４（ｃ）に示すように、外周面全周に亘る２条の環状リブ５ｆが形成されている。そして、環状突起５ｅと環状リブ５ｆとは、容器本体５０の口部５０ａに圧接して、中栓２をより強固に容器本体５０に係止し、凹部５ｄは、上蓋３と中栓２との接触を回避して上蓋３の操作性の向上、また中栓を本体から分別するときの離脱性を改善するためのものである。
【００２８】
図２に示す中栓２の本体側筒状部６は、全体として円錐筒状に形成され、上端部において上方に向けて口径が増大するリップ６ａを有し（図３（ｂ）参照）、容器本体５０内の液体を注ぎ出す際の液切れを良くする。
【００２９】
中栓２は、打栓により容器本体５０とともに内容物を気密又は液密に封入する密閉空間を形成する。中栓２のうち、分離部４は、図３（ｂ）に拡大して示すように、スコア７において中栓２の開封即ち中栓２の最初の開栓の際に切り取られ、開口部ＯＰを形成する（図１，５（ｄ）等参照）。
【００３０】
上蓋３は、樹脂製の一体成形品であり、側面壁３ａと上端壁３ｂとを備える。側面壁３ａと上端壁３ｂとは、ドーム状の外観を形成し、中栓２を埃、水気等の外部環境から保護している。側面部３ａは、螺合部である雌ネジ１１ａを有しており、容器本体５０の側面に形成された雄ネジ１１ｂに螺合する。これにより、上蓋３は、容器本体５０の軸心に沿って容器本体５０の奥に向けて前進したり後退したりすることになり、開栓・開封の動作を可能とするとともに、容器本体５０との着脱が可能となっている。
【００３１】
上蓋３は、上端壁３ｂにその下面から下方に延びる環状の突出部９を備えている。図４（ａ）に拡大して示すように、突出部９の内周面９ａは、図面で上下に延びる上蓋３の回転軸と平行に形成され、その外周面９ｂは、下端にゆくにしたがって厚みが薄くなるようにテーパ状に形成されている。これにより、突出部９の下端部は変形が容易になる。そして、内周面９ａの高さ方向中間部には、開封時にフランジ４ｄに係合するための環状の膨出部９ｃが形成され、その膨出部９ｃの上方にフランジ４ｄの拡設部４ｅを収容する環状の保持溝９ｄが形成されている。つまり、上端壁３ｂは、環状の膨出部９ｃ及び環状の保持溝９ｄを備えることで、分離部４を確実に保持可能とする保持部として機能する。
【００３２】
以下、キャップ１による蓋付容器１００の開封動作について図５及び図６を参照しながら説明する。
【００３３】
まず、図５（ａ）に示すように、上蓋３が螺合部１１ａの回転動作前の基準位置にある。この状態では、キャップ１が封止された状態にあり、図６（ａ）に示すように、中栓２のフランジ４ｄの周面が、拡設部４ｅを撓めた状態で上蓋３の突出部９の内周面９ａに当接している。この際、突出部９とフランジ４ｄとによって、空気の溜まった空間ＳＰが画成されている。
【００３４】
この状態から上蓋３を締め込む方向即ち時計回りに回転させると、図５（ｂ）に示すように、それに伴って突出部９が降下する。その際、フランジ４ｄは、図６（ｂ）に示すように、拡設部４ｅが撓められた状態で突出部９の内周面９ａに対して摺動する。この際、空間ＳＰに溜まった空気は、フランジ４ｄの外延の拡設部４ｅに設けた複数の切欠き４ｆを滑らかに通過し、空気漏れの音をほとんど発生しない。
【００３５】
そして、フランジ４ｄの外延は、膨出部９ｃを越えて奥の内周面９ａ内にフランジ４ｄが収容され、膨出部９ｃがフランジ４ｄの周縁下面に係合する。この状態においては、図６（ｃ）に示すように、フランジ４ｄが膨出部９ｃによって下面から係止され、拡設部４ｅが保持溝９ｄに収容されて突出部９内に係止される。それによって、分離部４が上蓋３の突出部９内に確実に保持される。
【００３６】
さらに上蓋３を締め込むと、図５（ｃ）に示すように、中栓２の分離部４が上蓋３の上端壁３ｂによって下方に押し込まれる。すると、低い破裂音を伴ってスコア７が切断され、分離部４が筒状部６に挿嵌される。つまり、分離部４が本体部２０から切り離され本体部２０の筒状部６から離脱可能となる。
【００３７】
この状態で、図５（ｄ）に示すように、上蓋３を緩める方向即ち反時計回りに回転させると、上蓋３に伴って分離部４が中栓２の筒状部６から離脱される。以上のようにして、中栓２は開封され、形成された開口部ＯＰから容器本体５０内の液体を注ぎ出すことが可能となる。また、上蓋３は、容器本体５０に対して着脱自在となる。
【００３８】
上蓋３の雌ネジ１１ａを容器本体５０の雄ネジ１１ｂに再び螺合させ、上蓋３を時計方向に回転させると、上述した開封によって上蓋３に保持されている分離部４が、中栓２の本体側筒状部６の開口部ＯＰに嵌合され、開口部ＯＰが塞がれる。この状態は、図５（ｃ）と同様になる。この際に、分離部４は、内側シール栓として機能する。
【００３９】
以上のように、本実施形態では、キャップ１での開封動作において、分離部４を中栓２から切り取るので、比較的簡単な構造でありながら、上蓋たる上蓋３の回転動作に伴うキャップ１の開封即ち中栓２の開封が可能となり、分離された分離部４は上蓋３に保持される。
【００４０】
また、本実施形態では、中栓２のフランジ４ｄが上蓋３の突出部９の内周面９ａを摺動する際に、突出部９とフランジ４ｄとによって画成される空間ＳＰ内の空気が拡設部４ｅの切欠き４ｆから徐々に抜き出される。これは、突出部９の内周面９ａにフランジ４ｄの周面が密着した状態で、突出部９とフランジ４ｄとによって画成される空間内の空気が圧縮されると、フランジ４ｄの移動の抵抗になるばかりでなく、圧縮された空気が突出部９の内周面９ａとフランジ４ｄの周面との間から突然噴出することによる異音を発生する場合があるが、空間ＳＰを外部と連通させる切欠き４ｆによってそれを防止する。よって、拡設部４ｅの幅及び厚みと切欠き４ｆの大きさ及び数は、突出部９及びフランジ４ｄの材質、大きさ等によって適宜に設定される。
【００４１】
なお、本実施形態では、中栓２は、打栓式複合キャップであり、嵌合部５を用いて打栓により容器本体５０とともに内容物を気密又は液密に封入するものとしているが、打栓に限らず、例えばスクリュー式や溶着によるシーリングによっても容器本体５０の内容物たる液体の収納が可能である。
【００４２】
また、上記実施形態では、分離部側筒状部４ｂを本体部側筒状部６よりも本体部側筒状部６の肉厚分だけ内側にオフセットさせた中栓２を示しているが、分離部側筒状部４ｂを本体側筒状部６よりも本体部側筒状部６の肉厚分だけ外側にオフセットさせたものとすることもできる。
【００４３】
また、上記実施形態において、分離部側筒状部４ｂの外周面と本体側筒状部６の内周面との少なくとも一方に、環状の低い突起であるシールを設けることができる。このようなシールを設けることによって、分離部側筒状部４ｂと本体側筒状部６との間に確実な液密状態を確保することができる。つまり、最初の開封後に繰返される再使用に際して液漏れを確実に防ぐことができる。
【００４４】
なお、上記実施形態において、分離部４の分離部側筒状部４ｂと本体部２０の本体側筒状部６とは、水平断面が円形を成しているが、それらは相対的に回転することはなく、上下方向に摺動する関係にある。したがって、それらの水平断面形状は、多角形，非円形であってもよい。
【００４５】
〔第２実施形態〕
以下、本発明の第２実施形態に係るキャップ及び蓋付容器について説明する。なお、第２実施形態のキャップ等は、第１実施形態のキャップ等を変形したものであり、特に説明しない部分は、第１実施形態のキャップ１や蓋付容器１００と同様であるものとする。
【００４６】
図７に示すように、第２実施形態に係るキャップ１０１の上蓋１０３は、側面壁１０３ａの下端に、バージンリングＢＲを備えている。バージンリングＢＲは、環状のバンドであり、適宜な箇所に切込みが形成されている。そして、上蓋１０３は、容器本体１５０の口部１５０ａに螺合され、バージンリングＢＲの下端が容器本体１５０の口部１５０ａの周面に形成された膨出部１５１に近接して位置される。
【００４７】
この上蓋１０３では、中栓１０２の分離部４を本体部１２０から切り離す際に、先ず、上蓋１０３を締め込む方向即ち時計回りに回転させる。すると、図８に示すように、バージンリングＢＲが容器本体１５０の膨出部１５１によって拡げられ、そして側面壁１０３ａから離脱される。上蓋１０３をさらに時計回りに回転させると、本体部１２０から分離部４が切り離され、突出部９内に保持される。
【００４８】
〔第３実施形態〕
以下、本発明の第３実施形態に係るキャップ及び蓋付容器について説明する。なお、第３実施形態のキャップ等は、第１実施形態のキャップ等を変形したものであり、特に説明しない部分は、第１実施形態のキャップ１や蓋付容器１００と同様であるものとする。
【００４９】
図９（ａ）〜９（ｄ）に示すように、第３実施形態に係るキャップ２０１の上蓋２０３は、ヒンジキャップ式のものであり、容器本体２５０の口部２５０ａに係合する取付部２０７と、ヒンジ部ＨＧを介して取付部２０７に連結される開閉蓋２０８とを有する。上蓋２０３の一部である取付部２０７は、下端部内壁の拡径部の少なくとも一箇所に突起部ＴＰを有する。これに対して、容器本体２５０は、口部２５０ａの雌ネジ１１ａの下方に、円周上断続的に段部ＢＰを有している。そして、段部ＢＰの上に突起部ＴＰが乗った状態となることで、口部２５０ａの雌ネジ１１ａと取付部２０７の雄ネジ１１ｂとが深くねじ込まれないようになっている。
【００５０】
以下、上蓋２０３での中栓２０２の開封の動作について説明する。図９（ｂ）は、中栓２０２の開封を行うために上蓋２０３を捻る（例えば半回転させる）ことにより、突起部ＴＰと、円周上断続的に設けられた段部ＢＰとが重ならないように位置合せを行った状態を示すものである。この場合、上蓋２０３の取付部２０７の内壁に設けられた段差状の当接部ＷＡが段部ＢＰの上に乗る位置まで上蓋２０３全体を押し込むことが可能となる。つまり、上蓋２０３の回転動作により分離部４を中栓２０２から分離して開口部ＯＰ（図９（ｄ）参照）を形成することが可能となる。以上のように、突起部ＴＰと段部ＢＰとは、上蓋２０３の回転動作により位置合せを行い、容器本体２５０の奥に向けて前進させる押し込みを行うことにより開口部ＯＰを形成するための押込手段として機能する。また、突起部ＴＰと段部ＢＰとは、中栓の不用意な開封を防止できるとともに回転動作と押込動作とにより比較的簡易かつ確実に開口部ＯＰの形成を行うことを可能にしている。
【００５１】
図９（ｃ）は、上蓋２０３が押し込まれた状態を示す図である。この押込動作により中栓２０２の分離部４が本体部から切り離される。より詳しく説明すると、押込動作により突出部９が中栓２０２のフランジ４ｄに嵌合し、図４（ａ）に示す突出部９の膨出部９ｃと同様に機能する爪２０９ａがフランジ４ｄの周縁下面に係合し、さらに、フランジ４ｄが上蓋２０３の上端壁２０３ｂによって下方に押し込まれる。以上により、中栓２０２の分離部４が本体部から切り離される。また、この際、取付部２０７が、容器本体２５０に係合した状態となる。さらに、分離部４が上蓋２０３の突出部９内に保持される。ここでは図示を省略するが、分離部４のフランジ４ｄの外周には、図３（ｂ）に示す拡設部４ｅと同様の肉薄の拡設部が形成されている。
【００５２】
以上のようにして、中栓２０２の開封動作がなされた後は、開閉蓋２０８が図９（ｃ）に示すようにキャップ２０１の開口部ＯＰを覆う閉状態と、図９（ｄ）に示すように開口部ＯＰを開放する開状態とをとることによって、キャップ２０１又は上蓋２０３の開閉が可能になっている。この際、中栓２０２の開封動作時に切り離された分離部４は、開閉蓋２０８の突出部９に嵌合しているため、開閉蓋２０８に保持された状態となっている。従って、分離部４は、中栓２０２の開封後に開口部ＯＰを塞ぐことができる内側シール栓として機能する。
【００５３】
〔第４実施形態〕
以下、本発明の第４実施形態に係るキャップ及び蓋付容器について説明する。なお、第４実施形態のキャップ等は、第１実施形態のキャップ等を変形したものであり、特に説明しない部分は、第１実施形態のキャップ１や蓋付容器１００と同様であるものとする。
【００５４】
図１０に示すように、第４実施形態に係るキャップ３０１は、樹脂で成形されており、中栓３０２と上蓋３０３とが、一物品として一体成形されたものとなっている。
【００５５】
上蓋である上蓋３０３は、ヒンジキャップ式のものであり、中栓３０２に係合する取付部３０７と、ヒンジ部ＨＧを介して取付部３０７に連結される開閉蓋３０８とを有する。
【００５６】
ここで、開閉蓋３０８は、ヒンジ部ＨＧを介して取付部３０７に連結されていることにより、後述する中栓３０２の開封動作を行った後のキャップ３０１の使用に際して、つまり、最初の開封後の再使用の開閉に際して、開口部を覆う閉状態と開口部を開放する開状態とに保持可能である。
【００５７】
さらに、この実施形態では、上蓋３０３の取付部３０７の内周面から側方に延びた突起部３０７ａと、中栓３０２の嵌合部３０５の上端部外周とが、肉薄のスコアＳＣ２によって連設されている。これにより、中栓３０２と上蓋３０３とは、一物品として一体成形されたものとなっている。尚、後述するように、取付部３０７は、雌ネジ１１ａの雄ネジ１１ｂに対する回転動作に伴って、肉薄のスコアＳＣ２に沿って中栓３０２の嵌合部３０５から切り離される。
【００５８】
このように構成されたキャップ３０１では、後に詳述するように、中栓３０２の分離部４を押下可能な上蓋３０３の上端壁３０３ｂによって、分離部４を本体側筒状部３０６から切り離すことができる。また、上蓋３０３に形成された突出部３０９と、分離部４に形成したフランジ４ｄとによって、分離部４を上蓋３０３側に保持することができ、上蓋３０３を回転させながら行う中栓３０２の開封に伴って、上蓋３０３を容器本体３５０の奥に向けて前進させることになり、分離部４を中栓３０２から分離して開口部を形成することができる。
【００５９】
図１１（ａ）、図１１（ｂ）は中栓３０２の開封動作について示す図である。以下、図１１（ａ）、図１１（ｂ）を参照して中栓３０２の開封動作を説明する。
【００６０】
中栓３０２の分離部４を本体部３２０から切り離すには、先ず、上蓋３０３を締め込む方向即ち時計回りに回転させる。すると、図１１（ａ）に示すように、バージンリングＢＲが容器本体３５０の膨出部３５１によって拡げられて側面壁３０３ａから離脱される。また、突出部３０９が中栓３０２のフランジ４ｄと嵌合する。つまり、分離部４が上蓋３０３側に保持される。
【００６１】
さらに、上蓋３０３を締め込むと、中栓３０２の分離部４が上蓋３０３の上端壁３０３ｂによって下方に押し込まれる。すると、スコアＳＣ１が切断され、分離部４が本体部３２０の筒状部３０６に挿嵌される。つまり、分離部４が本体部３２０から切り離される。
【００６２】
また、上蓋３０３を締め込む方向に回転させることに伴って、スコアＳＣ２が切断され、上蓋３０３の取付部３０７が中栓３０２から切り離される。この際、取付部３０７は、雌ネジ１１ａと雄ネジ１１ｂとが螺合することにより容器本体３５０に係合する。
【００６３】
以上のようにして、中栓３０２の開封動作がなされた後は、開閉蓋３０８が図１１（ａ）に示すようにキャップ３０１の開口部ＯＰを覆う閉状態と、図１１（ｂ）に示すように開口部ＯＰを開放する開状態とをとることによって、キャップ３０１又は上蓋３０３の開閉が可能となっている。この際、中栓３０２の開封動作時に切り離された分離部４は、開閉蓋３０８の突出部３０９に嵌合しているため、開閉蓋３０８に保持された状態となっている。ここでは図示を省略するが、分離部４のフランジ４ｄの外周には、図３（ｂ）に示す拡設部４ｅと同様の肉薄の拡設部が形成されている。
【００６４】
〔第５実施形態〕
以下、本発明の第５実施形態に係るキャップ及び蓋付容器について説明する。なお、第５実施形態のキャップ等は、第１実施形態のキャップ等を変形したものであり、特に説明しない部分は、第１実施形態のキャップ１や蓋付容器１００と同様であるものとする。
【００６５】
図１２に示すように、上蓋３から延びる突出部９の内周面の一箇所には、上下の軸方向に沿って（図１等に示すフランジ４ｄの延びる面に垂直な方向に）延びる通気溝９ｘが形成されている。この通気溝９ｘは、図３（ａ）に示すフランジ４ｄの拡設部４ｅに形成される切欠き４ｆと同様の機能を有するものであり、突出部９とフランジ４ｄとによって画成される空間内の空気を抜くために設けられている。なお、通気溝９ｘは、突出部９の内周面の一箇所に限らず、複数箇所に形成することができる。
【００６６】
以上実施形態に即して本発明を説明したが、本発明は上記実施形態に限定されるものではない。例えば、第１実施形態では、図３（ａ）に示すように、分離部４のフランジ４ｄに設けた拡設部４ｅが同一平面上に形成されているが、図１３に示すように、拡設部４ｅを構成する各部４ｅ−１，４ｅ−２，４ｅ−３を軸ＡＸの方向に関して互いに異なる高さ位置に配置することもできる。この際、切欠き４ｆは、各部４ｅ−１，４ｅ−２，４ｅ−３の重なり部分に形成されている。また、図１４に示すように、拡設部４ｅに対して軸ＡＸの方向に関して異なる高さ位置に追加の拡設部５０４ｅを設けることもできる。この場合、拡設部４ｅと拡設部５０４ｅとが軸ＡＸの方向から見て部分的に重畳している。さらに、図１５に示すように、拡設部６０４ｅを周方向の位置で異なる高さに変化させることもできる。
【００６７】
また、図３（ｂ）等に示す分離部４のフランジ４ｄに形成される拡設部４ｅは、切欠き４ｆを設けることなく、全周に亘って形成されるものとできる。この場合も、拡設部４ｅの可撓性によって突出部９とフランジ４ｄとによって画成される空間ＳＰ中の空気を少ない抵抗でリークさせることができる。
【００６８】
また、フランジ４ｄを上側で内側に折り返すようにしてフランジ４ｄの上部に筒状の部分を形成し、突出部９の外周にフランジ４ｄの筒状部より小径の鍔又はフランジを設けることで、フランジ４ｄと突出部９と内外を入れ替えることもできる。
【００６９】
また、分離部４のフランジ４ｄの外周は、円形に限らず６角形、８角形等の多角形とすることができ、上蓋３から延びる突出部９の内側面も円形に限らず６角形、８角形等の多角形とすることができる。分離部４のフランジ４ｄの外周が多角形である場合、フランジ４ｄの外周に形成される拡設部４ｅは、多角形の辺状に延びるものとなる。
【符号の説明】
【００７０】
１…キャップ、  ２…中栓、  ３…上蓋、  ３ａ…側面壁、  ３ｂ…上端壁、  ４…分離部、  ４ｂ…分離部側筒状部、  ４ｃ…天井壁、  ４ｄ…フランジ、  ４ｅ…拡設部、  ４ｆ…切欠き、  ５…嵌合部、  ５ａ…外筒部、  ５ｂ…内筒部、  ５ｅ…水平部、  ５ｄ…環状凹部、  ５ｅ…環状突起、  ５ｆ…環状リブ、  ６…本体側筒状部、  ６ａ…リップ、  ７…スコア、  ９…突出部、  ９ａ…内周面、  ９ｂ…外周面、  ９ｃ…膨出部、  ９ｄ…切欠き、  １１ａ…雌ネジ、  １１ｂ…雄ネジ、  ２０…本体部、  ５０…容器本体、  ５０ａ…口部、  １００…蓋付容器、  ＯＰ…開口部
【図１】
0005801596.tif 000002
【図２】
0005801596.tif 000003
【図３】
0005801596.tif 000004
【図４】
0005801596.tif 000005
【図５】
0005801596.tif 000006
【図６】
0005801596.tif 000007
【図７】
0005801596.tif 000008
【図８】
0005801596.tif 000009
【図９】
0005801596.tif 000010
【図１０】
0005801596.tif 000011
【図１１】
0005801596.tif 000012
【図１２】
0005801596.tif 000013
【図１３】
0005801596.tif 000014
【図１４】
0005801596.tif 000015
【図１５】
0005801596.tif 000016